(57)【要約】  【課題】網状の清掃対象面の両面を同時に清掃することにより、作業効率を向上させることができる清掃器具とその清掃方法を提供することを課題とする。  【解決手段】  流体を供給可能な流体供給設備に一方が接続され、他方に噴射口５ｄが設けられる流体流路を備えて構成される流体噴射部１を有し、前記噴射口５ｄから流体を噴射し、網状の清掃対象面の清掃を行う清掃器具において、一方に吸引口１１ｄが設けられる吸引流路と、該吸引流路内に吸引力を発生させる吸引手段とを備えて構成される吸引部１１をさらに有し、噴射口５ｄと吸引口１１ｄとの間に網状の清掃対象面が介挿可能な間隔を保持した状態で、噴射部１と吸引部１１とが接続されることを特徴とする。  【選択図】  図１
2009142763.tif 000002
【特許請求の範囲】
【請求項１】
流体を供給可能な流体供給設備に一方が接続され、他方に噴射口が設けられる流体流路を備えて構成される流体噴射部を有し、前記噴射口から流体を噴射し、網状の清掃対象面の清掃を行う清掃器具において、一方に吸引口が設けられる吸引流路と、該吸引流路内に吸引力を発生させる吸引手段とを備えて構成される吸引部をさらに有し、噴射口と吸引口との間に網状の清掃対象面が介挿可能な間隔を保持した状態で、噴射部と吸引部とが接続されることを特徴とする清掃器具。
【請求項２】
前記噴射口及び前記吸引口は、噴射口から噴射される流体の噴射方向と吸引口の吸引方向とが一致するように対峙する請求項１に記載の清掃器具。
【請求項３】
前記吸引口は、開口端に向かって次第に拡開する形状とされる請求項１又は２に記載の清掃器具。
【請求項４】
前記噴射口は、開口端に向かって次第に拡開する形状とされる請求項１〜３のいずれか１項に記載の清掃器具。
【請求項５】
前記吸引手段として、エジェクタが用いられる請求項１〜４のいずれか１項に記載の清掃器具。
【請求項６】
前記エジェクタは、流体流路上に設けられるとともに、吸引流路の他方がエジェクタに接続され、流体がエジェクタを通過する際に発生する負圧を利用して吸引流路内に吸引力を発生させる請求項５に記載の清掃器具。
【請求項７】
除去した汚れを捕集する捕集部を吸引流路上に有する請求項６に記載の清掃器具。
【請求項８】
請求項１〜７のいずれか１項に記載の清掃器具を用いて、網状の清掃対象面が円筒形となっている清掃対象物の清掃を行う方法であって、噴射口と吸引口との間に網状の清掃対象面を介挿し、清掃器具を清掃対象面に沿って基端方向と先端方向に動かし、且つ、円周方向へ移動させることにより清掃を行うことを特徴とする掃除方法。
【発明の詳細な説明】
【技術分野】
【０００１】
本発明は、流体の噴射により清掃を行う清掃器具及びその清掃方法に関する。
【背景技術】
【０００２】
従来より、ストレーナ等の網状部材の清掃には、蒸気や圧縮空気等の流体を網状の清掃対象面に吹き付けることにより清掃を行う清掃器具が用いられている。例えば、重原油のストレーナにおいては、水蒸気を清掃対象面に噴射する清掃器具を用いて、固着した油分を溶かし、スラッジと共に吹き落として清掃を行う方法がとられている。なお、網状の清掃対象面の清掃に用いる清掃器具ではないが、流体の噴射により清掃を行う清掃器具として特許文献１〜３が公知である。
【特許文献１】特開２００１−２１２８９号公報
【特許文献２】特開２００４−３５６２８５号公報
【特許文献３】特開２００４−２６７５９２号公報
【発明の開示】
【発明が解決しようとする課題】
【０００３】
しかしながら、このような器具を用いた方法では、清掃対象面を片面側からしか清掃できず、表裏両面の清掃を必要とする場合には効率が悪く、また、用いた流体や除去された汚れの飛散が生じるため、飛散した汚れの清掃が必要となり、作業に手間を要していた。
【０００４】
そこで、本発明は、網状の清掃対象面の両面を同時に清掃することにより、作業効率を向上させることができる清掃器具とその清掃方法を提供することを第１の課題とし、併せて、除去した汚れの飛散を防止することにより、さらに作業効率を向上させることができる清掃器具とその清掃方法を提供することを第２の課題とする。
【課題を解決するための手段】
【０００５】
本発明に係る清掃器具は、上記第１の課題を解決すべく、流体を供給可能な流体供給設備に一方が接続され、他方に噴射口が設けられる流体流路を備えて構成される流体噴射部を有し、前記噴射口から流体を噴射し、網状の清掃対象面の清掃を行う清掃器具において、一方に吸引口が設けられる吸引流路と、該吸引流路内に吸引力を発生させる吸引手段とを備えて構成される吸引部をさらに有し、噴射口と吸引口との間に網状の清掃対象面が介挿可能な間隔を保持した状態で、噴射部と吸引部とが接続されることにある。
【０００６】
かかる構成からなる清掃器具によれば、網状の清掃対象面を噴射口と吸引口の間に介挿し、噴射口は、流体供給設備からの流体を噴射口側の清掃対象面へ噴射し、同時に、吸引口は、吸引口側の清掃対象面の汚れを吸引する。
【０００７】
なお、流体とは、網状の清掃対象面に付着している汚れを除去する作用を有するものであればよく、汚れの種類や性状によって任意に選択することが可能である。例えば、水蒸気や圧縮空気等が考えられ、その温度も任意に選択することができる。
【０００８】
また、本発明に係る清掃器具は、上記第２の課題を解決すべく、前記噴射口及び前記吸引口は、噴射口から噴射される流体の噴射方向と吸引口の吸引方向とが一致するように対峙する構成が好ましい。
【０００９】
かかる構成からなる清掃器具によれば、噴射口から噴射される流体と網状の清掃対象面に付着していた汚れとが、直接、吸引口へ吸引されることにより、除去した汚れが飛散することを防止することができる。
【００１０】
また、本発明に係る清掃器具は、前記吸引口は、開口端に向かって次第に拡開する形状とされることが好ましい。
【００１１】
かかる構成からなる清掃器具によれば、網状の清掃対象面に対して、吸引力が作用する面積が広くなることによって、清掃可能な面積を拡大することができる。
【００１２】
また、本発明に係る清掃器具は、前記噴射口は、開口端に向かって次第に拡開する形状とされることが好ましい。
【００１３】
かかる構成からなる清掃器具によれば、噴射口から流体が拡散して噴射され、網状の清掃対象面に対して、噴射される流体が作用する面積が広くなることによって、清掃可能な面積を拡大することができる。
【００１４】
また、本発明に係る清掃器具は、吸引手段として、エジェクタが用いられる構成を採用することが好ましい。
【００１５】
かかる構成からなる清掃器具によれば、エジェクタにより吸引流路内に吸引力が発生し、清掃対象面の吸引口側の汚れを吸引除去することができる。
【００１６】
また、本発明に係る清掃器具は、前記エジェクタは、流体流路上に設けられるとともに、吸引流路の他方がエジェクタに接続され、流体がエジェクタを通過する際に発生する負圧を利用して吸引流路内に吸引力を発生させる構成を採用することが好ましい。
【００１７】
かかる構成からなる清掃器具によれば、流体供給設備からの流体によりエジェクタが駆動し、エジェクタを駆動させた流体は、噴射口から噴射されるとともに、吸引流路内に吸引力を発生させる。これにより清掃に用いる流体をエジェクタの駆動源として利用することができる。
【００１８】
また、本発明に係る清掃器具は、除去した汚れを捕集する捕集部を吸引流路上に有する構成を採用することが好ましい。
【００１９】
かかる構成からなる清掃器具によれば、吸引除去した汚れを捕集部が捕集することによって、エジェクタ内へ汚れが流入するのを防ぎ、ひいては噴射口から流体と共に汚れが噴出されるのを防ぐことができる。
【００２０】
また、本発明に係る清掃方法は、上記清掃器具を用いて、網状の清掃対象面が円筒形となっている清掃対象物の清掃を行う方法であって、噴射口と吸引口との間に網状の清掃対象面を介挿し、清掃器具を清掃対象面に沿って基端方向と先端方向に動かし、且つ、円周方向へ移動させ清掃を行うことにある。
【００２１】
かかる構成からなる清掃方法によれば、網状の清掃対象面を清掃器具の噴射口と吸引口との間に介挿することで、網状の清掃対象面の両面を同時に清掃することができる。しかも、清掃対象面に沿って基端方向と先端方向に動かし、且つ、円周方向へ移動させて清掃を行うことにより、網状の清掃対象面が円筒形となっている清掃対象物の清掃を斑なく行うことができる。なお、基端方向とは、流体が供給される方向であり、先端方向とは、噴射口及び吸引口の設けられている方向である。
【発明の効果】
【００２２】
以上、本発明に係る清掃器具は、網状の清掃対象面を噴射口と吸引口との間に介挿した状態で、流体の噴射による噴射口側の清掃と、吸引による吸引口側の清掃とを同時に行うことができるので、網状の清掃対象面の両面を効率的に清掃することができ、作業時間の短縮と作業員の労力の軽減を図ることができる。
【００２３】
また、本発明に係る清掃方法は、網状の清掃対象面が円筒形となっている清掃対象物の清掃を行う際に、清掃器具の噴射口と吸引口との間に網状の清掃対象面を介挿し、清掃対象面に沿って基端方向と先端方向に動かし、且つ、円周方向へ移動させることで、網状の清掃対象面の両面を斑なく同時に清掃することができるので、清掃時間の短縮と作業員の労力の軽減を図ることができる。
【発明を実施するための最良の形態】
【００２４】
以下、本発明に係る一実施形態について、図面を参照しながら説明する。
【００２５】
本実施形態に係る清掃器具は、図１及び図２に示すように、流体噴射部１及び吸引部１０から構成される。流体噴射部１は、基端側（流体の流れの上流側）が流体供給設備（図示せず）に接続され、先端側（流体の流れの下流側）に噴射口が設けられることにより、流体噴射部１の基端側から噴射口にいたるまでの流体流路が形成される。また、流体噴射部１は、エジェクタ部２と噴射管部５とを有し、エジェクタ部２の先端側と噴射管部５の基端側とが接続され、一体となって構成される。
【００２６】
前記エジェクタ部２は、流体ノズル３と吸引室４を有し、吸引室４の基端側に流体ノズル３が接続され、一体となって構成される。
【００２７】
前記流体ノズル３は、基端側の一部が突出部３ａとして吸引室４の外に残るように吸引室４内に収納され、該突出部３ａが前記流体噴射部１の基端側として流体供給設備と接続される。また、本清掃器具の取り扱いを容易にするため、滑り止め具３ｂとしてゴム材が突出部３ａに外嵌するように取り付けられる。
【００２８】
前記流体ノズル３の吸引室４内に収納される部分は、断面積が先端側に向かって途中から次第に小さくなるよう形成される。
【００２９】
前記吸引室４は、流体ノズル３を内部に挿入するためのノズル挿入部４ａが基端側に設けられるとともに、流体ノズル３から射出される流体による吸引効果によって吸引流を導入する吸引流導入部４ｂがノズル挿入部４ａよりも先端側に設けられ、さらに、噴射管部５の基端側と接続されて流体ノズル３から射出される流体と吸引流との混合流を噴射管部５へ射出する流体射出部４ｃが吸引流導入部４ｂよりも先端側に設けられる。
【００３０】
具体的には、前記吸引室４は、ノズル挿入部４ａを有する基端壁４ｄと吸引流導入部４ｂを有する円筒壁４ｅと流体射出部４ｃを有する先端壁４ｆとが連なって形成される。
【００３１】
前記基端壁４ｄは、ノズル挿入部４ａを中心に基端側から先端側に向かって同心円状に拡径し、該ノズル挿入部４ａは、流体ノズル３を挿入した状態で密閉される。
【００３２】
前記円筒壁４ｅは、先端壁４ｆの拡径端から先端側に向かって円筒形を形成するとともに、その中心軸に流体ノズル３を有する。また、円筒壁４ｅには、流体ノズル３の先端よりも基端側に吸引流導入部４ｂが設けられる。
【００３３】
前記先端壁４ｆは、円筒壁４ｅの先端から流体射出部４ｃを中心とした同心円状に縮径するよう形成され、流体射出部４ｃと噴射管部５の基端側とが接続される。
【００３４】
このように、流体ノズル３が所定の長さの突出部３ａを残してノズル挿入部４ａから吸引室４内に挿入され、流体ノズル３の先端が吸引流導入部４ｂよりも先端側に配するようノズル挿入部４ａで密閉固定されることにより、流体ノズル３から射出される流体の巻き込み作用によって吸引室４内に負圧を発生させるエジェクタが流体流路上に構成される。
【００３５】
前記噴射管部５は、基端側が流体射出部４ｃと接続され、先端側に向かって直線状に伸びるとともに、伸縮可能な構造を有する（図１は伸長状態、図２は収縮状態を示す）。また、先端近傍は直角に曲げられ、先端に前記流体噴射部１の先端側として噴射口５ｄが設けられる。
【００３６】
前記伸縮可能な構造は、外径の異なる３つの円筒形の管５ａ〜５ｃが摺動自在に嵌合され、基端側から先端側に向かって外径が段階的に小さくなる構造となっている。また、最も先端側の管５ｃが先端近傍で直角に曲げられ、噴射口５ｄは、先端近傍の直角に曲げられた部分が同心円状に開口端に向かって次第に拡開するよう形成される。
【００３７】
また、噴射口５ｄと清掃対象面との間に最適な間隔を維持するための補助具として、キャスタ６が設けられる。該キャスタ６は車輪部６ｂと支持部６ａを有し、車輪部６ｂが噴射口５ｄよりも吸引口１１ｄ側に出るように設置される。
【００３８】
前記吸引部１０は、基端側（流体の流れの下流側）に吸引手段を有し、先端側（流体の流れの上流側）に吸引口１１ｄが設けられることにより、吸引口１１ｄから吸引手段にいたる吸引流路が形成される。また、吸引部１０は、吸引管部１１からなり、該吸引管部１１は、基端側が吸引手段に接続され、先端側に向かって直線状に伸びるとともに、噴射管部５に対して平行な部分を有する。
【００３９】
前記吸引管部１１は、基端側が吸引手段として用いられるエジェクタを構成する吸引室４の円筒壁４ｅに設けられた吸引流導入部４ｂに接続され、吸引流導入部４ｂよりも基端側に屈曲部１１ｅが形成されることにより、吸引室４と所定の角度をもって接続され、流体噴射部１と吸引部１０との間に清掃対象面を介挿可能な間隔が形成される。
【００４０】
また、吸引管部１１は、噴射管部５と同様に伸縮可能な構造を有する（図１は伸長状態、図２は収縮状態を示す）。また、先端近傍は噴射口５ｄの開口面と対峙するように直角に曲げられ、先端に前記吸引部１０の先端側として吸引口１１ｄが設けられる。
【００４１】
前記伸縮可能な構造は、外径の異なる３つの円筒形の管１１ａ〜１１ｃが摺動自在に嵌合され、基端側から先端側に向かって外径が段階的に小さくなる構造となっている。また、最も先端側の管１１ｃが先端近傍で直角に曲げられ、吸引口１１ｄは、先端近傍の直角に曲げられた部分が同心円状に開口端に向かって次第に拡開するよう形成される。
【００４２】
また、吸引により除去した汚れを捕集する捕集部１２が吸引口１１ｄよりも基端側に備えられる。該捕集部１２は、吸引管部１１の伸縮可能な構造となっている部分よりも基端側に備えられ、容易に交換できるフィルタ材を内部に有するとともに、内部のフィルタ材を取り出すための扉が備えられている。
【００４３】
次に、本実施形態における清掃器具を用いた清掃方法について説明する。なお、本実施形態において対象となる清掃対象面は、油やスラッジが付着している円筒形の重原油ストレーナの側面である。
【００４４】
図３に示すように、円筒形を形成した網状の清掃対象面２０を噴射口５ｄと吸引口１１ｄとの間に介挿する。この際、図４に示すように、車輪部６ｄが清掃対象面２０に当接することで、噴射口５ｄ及び吸引口１１ｄが清掃対象面２０に対して一定の間隔を有して保持される。
【００４５】
そして、流体供給設備から供給される流体とエジェクタの効果により吸引された吸引流との混合流は、流体噴射部１の基端側から噴射口５ｄにいたるまでの流体流路を通って噴射口５ｄから噴射されることにより、噴射口５ｄ側の清掃を行う。
【００４６】
また、流体供給設備から供給される流体は、流体ノズル３から射出されることにより、吸引室４内に負圧を発生し、吸引流導入部４ｂに接続された吸引管部１１内に吸引力が発生することによって吸引口１１ｄ側の清掃を行う。
【００４７】
このように、流体の噴射による清掃と吸引による清掃を同時行いながら、清掃器具を基端方向と先端方向へ往復させ、且つ、円周方向へ移動しながら清掃を行う。
【００４８】
以上が本実施形態に係る清掃器具とそれを用いた清掃方法についての説明であるが、これにより、本実施形態に係る掃除器具は以下の効果を奏する。
【００４９】
噴射口５ｄ側の清掃対象面２０は、噴射口５ｄから噴射される高温蒸気によって固着した油が溶かされるとともに、付着したスラッジが蒸気の噴射によって除去される。また、吸引口１１ｄ側の清掃対象面２０では、吸引管部１１内に発生した吸引力による吸引除去が行われる。このように噴射口５ｄと吸引口１１ｄの間に清掃対象面２０を介挿した状態で、噴射口５ｄ側の清掃と吸引口１１ｄ側の清掃を同時に行うことにより、清掃対象面２０の内外両面の清掃を効率的に行うことができ、作業時間の短縮を図ることができる。
【００５０】
また、網状の清掃対象面２０に付着した汚れは、噴射口５ｄから噴射される流体によって除去されるが、噴射口５ｄの開口面と吸引口１１ｄの開口面が対峙することにより、除去された汚れを吸引口１１ｄから直接吸引除去することができるので、除去された汚れが飛散することを防止することができる。
【００５１】
加えて、噴射口５ｄと吸引口１１ｄとが開口端に向かって次第に拡開されることによって、広範囲の清掃を効率的に行うとともに、流体や汚れの飛散防止の効果をより向上させることができ、清掃作業自体の手間を軽減することができる。
【００５２】
また、流体ノズル３と吸引室４によって流体流路上にエジェクタが構成されることにより、噴射による清掃に用いる流体をエジェクタの駆動源として利用することができる。つまり、吸引力を発生させる動力を他に準備する必要がなく、本実施形態における清掃器具の構造を単純な構造とすることができる。加えて、構造が単純なため、保守作業の軽減や不具合の発生の低減を図ることができる。
【００５３】
また、本実施形態に係る清掃器具を用いて清掃を行う清掃対象面２０は、重原油ストレーナの種類によって様々な大きさが考えられる。そこで、図１及び図２に示すように、噴射管部５及び吸引管部１１が伸縮可能な構造となっていることにより、清掃対象面２０の大きさに合わせて様々な長さで使用することができるので、汎用性が高く利便性に優れている。
【００５４】
また、吸引管部１１に備えられる捕集部１２は、吸引除去した汚れを一箇所に捕集することができ、エジェクタ内へ汚れが流入することを防ぐことができる。また、該捕集部１２は、容易に交換可能なフィルタ材を内部に有しており、除去された汚れによるフィルタの目詰まりによって吸引力が低下した際には、フィルタ材を交換することにより、容易に吸引力を回復させることが可能である。このような捕集部１２を備えることによって、噴射口側への汚れの流入を防ぐとともに、除去した汚れの回収と清掃器具の保守作業を容易に行うことができる。
【００５５】
次に、本実施形態に係る清掃器具の清掃方法は、円筒形をなしている重原油ストレーナの側面の内外両面を同時に清掃することができ、また、基端方向と先端方向への往復の動きと、円周方向への移動のみで清掃を行うことができるので、清掃対象面２０全体にわたって斑なく清掃ができ、清掃作業の繁雑さを軽減することができる。
【００５６】
なお、本発明に係わる清掃器具は、上記実施形態に限定されるものではなく、本発明の趣旨を逸脱しない範囲で種々の変更が可能である。
【００５７】
例えば、上記実施形態で用いる流体は、高温蒸気であることが好ましいが、清掃対象面２０に付着している汚れの性状によって任意に選択可能である。例えば、水、空気等であってもよい。
【００５８】
また、噴射口５ｄ及び吸引口１１ｄの開口面積は、噴射口及び吸引口における清掃作用に影響がない程度であれば任意であるが、上記の効果を得る上では、吸引口の開口面積を噴射口の開口面積よりも大きく形成するのが好ましい。
【００５９】
また、図５に示すように、吸引口１１ｄを可能な限り清掃対象面２０に近づけるための押さえ板１４が設置されてもよい。該押さえ板１４は、吸引口１１ｄの開口方向の裏側に設置され、先端付近に固定ネジ１４ａを有する。該固定ネジ１４ａは、吸引口１１ｄの開口方向へねじ込むことにより吸引口１１ｄを可能な限り清掃対象面に近づけるとともに、その状態を維持するように固定される。
【００６０】
この場合、押さえ板１４は、吸引管部１１と同様に伸縮可能な構造となっているのが好ましい。例えば、押さえ板１４は、吸引管１１ａに取付ネジによって取り付けられ、固定ネジ１４ａより基端側にスリットが設けられる。該スリットは、取付ネジ（図示せず）が挿入可能な幅で形成される。この場合、取付ネジを緩めることによりスリットの長さ分だけ押さえ板１４が伸縮可能となる。このように、押さえ板１４が伸縮可能な構造となることで、吸引管部１１の伸縮に合わせた長さ調節が可能となる。
【００６１】
また、上記実施形態においては、噴射管部５及び吸引管部１１の伸縮構造が２段階になっているがこれに限定されるものではない。１段階以上の伸縮構造、もしくは、蛇腹形状等、伸縮可能な構造であればよく、清掃対象面の大きさや清掃器具の大きさ等によってその構造は任意に選択する可能である。また、伸縮構造を有さない構造であってもよい。
【００６２】
上記実施形態においては、キャスタ６が噴射口５ｄ側に１つ設置されていたが、噴射口５ｄと清掃対象面の間隔を保持することが可能であるならば、キャスタが吸引口１１ｄ近傍に設置される構成や噴射口５ｄ側と吸引口１１ｄ側の両方に設置される構成を採用することができる。また、必要に応じてキャスタを設置しない場合や複数設置する場合があってもよい。また、清掃対象面の間隔を調節するために支持部６ａが伸縮可能な構造となってもよい。
【００６３】
また、上記実施形態においては、捕集部１２が１つであったが、必要に応じて吸引管部１１に複数設置し、多段的に捕集を行うこともできる。また、除去される汚れの性状等に応じて内部に有するフィルタ材の材質も選択することも可能である。
【００６４】
また、流体噴射部１と吸引部１０の両方、もしくはどちらか一方に流体の流れを調節する調節コック（図示せず）を備えることもできる。調節コックは噴射口５ｄ、吸引口１１ｄよりも基端側に設置されることが好ましく、流体噴射部１側の調節コックは、流体の噴射及び吸引力の調節を行い、吸引部１０側の調節コックは、吸引力の調節を行うことができる。
【００６５】
また、上記実施形態の清掃対象は、噴射口５ｄと吸引口１１ｄの間に介挿可能な形状であればよく、円筒形に限るものではない。例えば、網戸等の平らな面であってもよい。
【図面の簡単な説明】
【００６６】
【図１】本実施形態に係る掃除器具であって、先端側が伸長した状態の斜視図。
【図２】本実施形態に係る掃除器具であって、先端側が収縮した状態の斜視図。
【図３】円筒形の重原油ストレーナを噴射口と吸引口の間に介挿した斜視図。
【図４】清掃対象面を介挿した際の噴射口及び吸引口付近の拡大図。
【図５】他実施形態に係る掃除器具であって、噴射口及び吸引口付近の拡大図。
【符号の説明】
【００６７】
１…流体噴射部、２…エジェクタ、３…流体ノズル、３ａ…突出部、３ｂ…滑り止め具、４…吸引室、４ａ…ノズル挿入部、４ｂ…吸引流導入部、４ｃ…流体射出部、４ｄ…基端壁、４ｅ…円筒壁、４ｆ…先端壁、５…噴射管部、５ｄ…噴射口、６…キャスタ、１０…吸引部、１１…吸引管部、１１ｄ…吸引口、１２…捕集部
【図１】
2009142763.tif 000003
【図２】
2009142763.tif 000004
【図３】
2009142763.tif 000005
【図４】
2009142763.tif 000006
【図５】
2009142763.tif 000007